(57)【要約】【課題】水中の生物の情報把握を効果的に行うことのできる生物捕獲具を提供する。【解決手段】水中で生物を捕獲する捕獲部３とその捕獲部３を操作する操作部１とが備えられている生物捕獲具Ｔにおいて、水中映像又は水中画像を撮影する水中カメラ４が、捕獲部３又はその近傍を撮影する状態で設けられている。【選択図】図１
2008212060.tif 000002
【特許請求の範囲】
【請求項１】
水中で生物を捕獲する捕獲部とその捕獲部を操作する操作部とが備えられている生物捕獲具であって、
水中映像又は水中画像を撮影する水中カメラが、前記捕獲部又はその近傍を撮影する状態で設けられている生物捕獲具。
【請求項２】
前記水中カメラで撮影した水中映像又は水中画像を表示する表示手段が設けられている請求項１記載の生物捕獲具。
【請求項３】
前記表示手段が、前記操作部又はその近傍において前記水中映像又は水中画像を表示するモニタと、このモニタに対して前記水中映像又は水中画像の撮影データを前記水中カメラから送信するデータ送信手段とから構成されている請求項２記載の生物捕獲具。
【請求項４】
前記捕獲部が少なくとも釣針を有する仕掛けから構成され、前記操作部が仕掛けに連結される道糸から構成され、更に、前記データ送信手段が、前記水中カメラと前記モニタとを接続するカメラケーブルから構成されているとともに、
前記カメラケーブルには、前記仕掛け又は前記道糸若しくはそれらの両方を保持する保持手段が設けられている請求項３記載の生物捕獲具
【請求項５】
前記捕獲部が少なくとも釣針を有する仕掛けから構成され、前記操作部が仕掛けに連結される道糸から構成されているとともに、
前記水中カメラが前記仕掛けに設けられている請求項１〜３のいずれか１項に記載の生物捕獲具。
【請求項６】
前記捕獲部が、少なくとも釣り用天秤の天秤部に釣針を備えた仕掛けから構成され、前記操作部が仕掛けに連結される道糸から構成されているとともに、
前記水中カメラが、水平方向を撮影領域に含む状態で設けられている請求項１〜３のいずれか１項に記載の生物捕獲具。
【請求項７】
前記水中カメラを脱着自在に保持するカメラ保持手段が設けられている請求項１〜６のいずれか１項に記載の生物捕獲具。
【請求項８】
前記水中カメラの撮影領域を変更する撮影領域変更手段が設けられている請求項１〜７のいずれか１項に記載の生物捕獲具。
【請求項９】
水中の生物を惹き寄せる魚集光をもって前記水中カメラの撮影領域を照射する照射手段が設けられている請求項１〜８のいずれか１項に記載の生物捕獲具。
【請求項１０】
水中映像又は水中画像を撮影する撮影部と、水中の生物を捕獲する生物捕獲具に対する取り付け部とが設けられている生物捕獲具用水中カメラ。
【請求項１１】
前記生物捕獲具に対する取り付け状態において前記撮影部の撮影領域を変更する撮影領域変更手段が設けられている請求項１０記載の生物捕獲具用水中カメラ。
【請求項１２】
前記取り付け部が、前記生物捕獲具に対して脱着自在に構成されている請求項１０又は１１記載の生物捕獲具用水中カメラ。
【発明の詳細な説明】
【技術分野】
【０００１】
本発明は、例えば、少なくとも釣針を有する仕掛けと道糸からなる釣り具や銛、掬い網、仕掛け網など、魚貝類や頭足類などの生物を水中で捕獲する生物捕獲具及び生物捕獲具用水中カメラに関し、詳しくは、水中で生物を捕獲する捕獲部とその捕獲部を操作する操作部とが備えられている生物捕獲具及び生物捕獲具用水中カメラに関する。
【背景技術】
【０００２】
この種の生物捕獲具は、水中で生物を捕獲する捕獲部を操作部により操作することで水中の生物を捕獲するものである。一例として前記釣り具について説明すると、操作者としての釣り人が水上において保持する（詳しくは、直接手で保持する場合や竿を介して保持する場合などがある）道糸の先端に、少なくとも釣針を有する仕掛けを取り付けて構成されており、水中に投入した仕掛けの釣針に対し魚が掛かったときに釣り人が道糸を引き操作することで、仕掛けごと魚を引き揚げる形態で魚を捕獲する。
【０００３】
そして、釣り人は、水上に配設した魚群探知器の情報（或いは、経験上の勘）などにより、或いは、極稀に目視可能な場合には目視情報により、捕獲対象とする生物の種別や水中での位置や深さを想定しながら仕掛けを水中に配置することで、水中の生物を効率良く捕獲しようとする。
【０００４】
しかし、それらの情報（つまり、魚群探知器の情報、経験上の勘、目視情報）では、思うように生物を捕獲できないことから、水中カメラを先端部に取り付けた撮影具を釣り具とは別に水中に配置することで、水中カメラにより撮影した仕掛け又はその近傍の水中映像により水中の情報を確認しながら生物を捕獲する生物捕獲方法が考案されている（下記特許文献１参照）。
【０００５】
【特許文献１】特開平１０−２７６６４４号公報
【発明の開示】
【発明が解決しようとする課題】
【０００６】
ところが、上記の如き従来の生物捕獲方法では、移動抵抗が大きく視認性の低い水中に水中カメラが配置されていることと、生物捕獲具の操作と撮影具の操作とを同時に行わなければならないこととが相俟って、水中カメラの撮影領域が仕掛け又はその近傍になるように撮影具を操作するのが非常に難しく、そのことで、水中の情報把握が十分に行えない問題があった。
【０００７】
この実情に鑑み、本発明の主たる課題は、水中の生物の情報把握を効果的に行うことのできる生物捕獲具及び生物捕獲具用水中カメラを提供する点にある。
【課題を解決するための手段】
【０００８】
本発明の第１特徴構成は、生物捕獲具に係り、その特徴は、
水中で生物を捕獲する捕獲部とその捕獲部を操作する操作部とが備えられている生物捕獲具であって、
水中映像又は水中画像を撮影する水中カメラが、前記捕獲部又はその近傍を撮影する状態で設けられている点にある。
【０００９】
上記特徴構成によれば、前記水中カメラが捕獲部又はその近傍を撮影する状態で設けられているから、捕獲部又はその近傍を簡単且つ確実に撮影することができて、水中の情報把握を効果的に行うことができる。
【００１０】
本発明の第２特徴構成は、第１特徴構成の実施に好適な構成であり、その特徴は、
前記水中カメラで撮影した水中映像又は水中画像を表示する表示手段が設けられている点にある。
【００１１】
上記特徴構成によれば、水中カメラで撮影した水中映像又は水中画像を生物捕獲場所（船釣りを例にすれば船上など）で視認することができるから、例えば、生物捕獲場所から離れた場所（船釣りを例にすれば漁港など）の表示器でそれら水中映像又は水中画像を視認する場合に比べ水中の情報を簡単且つ短時間で得ることができて、その水中の情報を効果的に活用することができる。
【００１２】
本発明の第３特徴構成は、第２特徴構成の実施に好適な構成であり、その特徴は、
前記表示手段が、前記操作部又はその近傍において前記水中映像又は水中画像を表示するモニタと、このモニタに対して前記水中映像又は水中画像の撮影データを前記水中カメラから送信するデータ送信手段とから構成されている点にある。
【００１３】
上記特徴構成によれば、例えば、水中カメラが水中にある状態でも操作部又はその近傍において水中映像又は水中画像を表示するモニタを視認することができて、操作部又はその近傍において水中映像又は水中画像を視認しながら操作部を操作することができ、これにより、水中の情報を一層効果的に活用することができる。
【００１４】
本発明の第４特徴構成は、第３特徴構成の実施に好適な構成であり、その特徴は、
前記捕獲部が少なくとも釣針を有する仕掛けから構成され、前記操作部が仕掛けに連結される道糸から構成され、更に、前記データ送信手段が、前記水中カメラと前記モニタとを接続するカメラケーブルから構成されているとともに、
前記カメラケーブルには、前記仕掛け又は前記道糸若しくはそれらの両方を保持する保持手段が設けられている点にある。
【００１５】
上記特徴構成によれば、保持手段によりカメラケーブルの移動と道糸又は仕掛けの移動とを極力同調させることができて、例えば、生物を捕獲した場合に仕掛けや道糸が別々に移動することにより仕掛けや道糸とカメラケーブルとが絡まるなどの不具合を効果的に抑止することができる。
【００１６】
本発明の第５特徴構成は、第１〜第３特徴構成のいずれかの実施に好適な構成であり、その特徴は、
前記捕獲部が少なくとも釣針を有する仕掛けから構成され、前記操作部が仕掛けに連結される道糸から構成されているとともに、
前記水中カメラが前記仕掛けに設けられている点にある。
【００１７】
つまり、捕獲対象生物の種類や捕獲場所などにより仕掛けを変更する都合上、道糸を変更するのに比べて仕掛けを変更するのが一般的に簡単であることから、水中カメラが仕掛けに設けられている上記特徴構成であれば、水中カメラを使用する釣り形態と水中カメラを使用しない釣り形態との変更を道糸に対する仕掛けの変更により効率良く行うことができる。
【００１８】
また、仕掛けを沈降させる錘に水中カメラを兼用することができ、これにより、水中カメラとは別に錘を仕掛けに取り付ける場合に比べ、仕掛けを単純化することができるとともに、使用する錘の重量種類も効果的に少なくすることができる。
【００１９】
本発明の第６特徴構成は、第１〜第３特徴構成のいずれかの実施に好適な構成であり、その特徴は、
前記捕獲部が、少なくとも釣り用天秤の天秤部に釣針を備えた仕掛けから構成され、前記操作部が仕掛けに連結される道糸から構成されているとともに、
前記水中カメラが、水平方向を撮影領域に含む状態で設けられている点にある。
【００２０】
つまり、魚類にあっては、魚種によって遊泳する水深がある程度決まっていることから、釣針を配置する水深の情報が特に重要になるが、上記特徴構成によれば、水平方向を撮影領域に含む状態で道糸に対して水平方向で位相ズレした釣針及びその近傍を水中カメラにより撮影することができるから、釣針及びその近傍の水深の情報を効果的に把握することができる。
【００２１】
本発明の第７特徴構成は、第１〜第６特徴構成のいずれかの実施に好適な構成であり、その特徴は、
前記水中カメラを脱着自在に保持するカメラ保持手段が設けられている点にある。
【００２２】
上記特徴構成によれば、カメラ保持手段による水中カメラの脱着により水中カメラを使用する生物捕獲形態と水中カメラを使用しない生物捕獲形態とを効率良く変更することができる。
【００２３】
本発明の第８特徴構成は、第１〜第７特徴構成のいずれかの実施に好適な構成であり、その特徴は、
前記水中カメラの撮影領域を変更する撮影領域変更手段が設けられている点にある。
【００２４】
上記特徴構成によれば、例えば、水流や潮流などによって捕獲部が流されてしまう場合でも、撮影領域変更手段による水中カメラの撮影領域の変更により捕獲部又はその近傍を効果的に撮影することができる。
【００２５】
本発明の第９特徴構成は、第１〜第８特徴構成のいずれかの実施に好適な構成であり、その特徴は、
水中で生物を惹き寄せる魚集光をもって前記水中カメラの撮影領域を照射する照射手段が設けられている点にある。
【００２６】
上記特徴構成であれば、水中カメラで撮影する際に必要な光量を生物の捕獲に活用する形態で効果的に得ることができる。
【００２７】
本発明の第１０特徴構成は、生物捕獲具用水中カメラに係り、その特徴は、
水中映像又は水中画像を撮影する撮影部と、水中の生物を捕獲する生物捕獲具に対する取り付け部とが設けられている点にある。
【００２８】
上記特徴構成によれば、撮影部による水中映像又は水中画像の撮影によって水中の情報把握を効果的に行うことができる生物捕獲具を構成することができる。
【００２９】
本発明の第１１特徴構成は、第１０特徴構成の実施に好適な構成であり、その特徴は、
前記生物捕獲具に対する取り付け状態において前記撮影部の撮影領域を変更する撮影領域変更手段が設けられている点にある。
【００３０】
上記特徴構成によれば、例えば、撮影部の撮影領域の変更を生物捕獲具から取り外すことなく効率良く行うことのできる生物捕獲具を構成することができる。
【００３１】
本発明の第１２特徴構成は、第１０又は第１１特徴構成の実施に好適な構成であり、その特徴は、
前記取り付け部が、前記生物捕獲具に対して脱着自在に構成されている点にある。
【００３２】
上記特徴構成によれば、水中映像又は水中画像を撮影する生物捕獲形態と水中映像又は水中画像を撮影しない生物捕獲形態とを効率良く変更することができる。
【発明を実施するための最良の形態】
【００３３】
図１は、本発明に係る生物捕獲具の一例である釣り具Ｔを船Ｓの上から使用する状態を示し、基端部が船Ｓの上に配置された道糸１（操作部の一例）の先端部には、少なくとも釣針２を有する仕掛け３（捕獲部の一例）が連結されている。
【００３４】
また、前記釣り具Ｔには、水中映像又は水中画像を撮影する水中カメラ４が、仕掛け３又はその近傍を撮影する状態で設けられているとともに、水中カメラ４で撮影した水中映像又は水中画像を表示する表示手段５が設けられている。
【００３５】
前記仕掛け３は、捕獲対象とする生物の種別などにより種々のものを用いることができるが、本例では、ステンレス製の略Ｌの字状の釣り用天秤６と、先端部に釣針２を結束したハリス７と、仕掛け３を沈降させるための錘８とから構成されたものを用いている。
【００３６】
具体的には、仕掛け３は、釣り用天秤６の立ち上がり部６ａの下端部に対しサルカン９（連結部材の一例）を介して錘８を連結し、釣り用天秤６の天秤部６ｂの先端部に対しサルカン１０を介してハリス７の基端部を連結するとともに、釣り用天秤６の立ち上がり部６ａの上端部に対し道糸１を連結するためのサルカン１１を取り付けて構成されている。
【００３７】
そして、仕掛け３における釣り用天秤６の天秤部６ｂに対し、前記水中カメラ４が釣針２及びその近傍を撮影する状態で取り付けられている。
【００３８】
前記表示手段５は、船Ｓの上（道糸１の近傍の一例）において水中映像又は水中画像を表示するモニタ１３ａを備える携帯型のコンピュータ１３と、このコンピュータ１３に対して水中カメラ４で撮影した水中映像又は水中画像の撮影データを水中カメラ４から送信するデータ送信手段の一例であるカメラケーブル１２とから構成されている。
【００３９】
前記カメラケーブル１２は、図２に示すように、カメラ電源用、カメラ信号（撮影データ信号）用、後述するＬＥＤライト１５ｂのオン・オフ操作用などの複数本（本例では４本）の信号線１２ａを樹脂製の被覆チューブ１２ｂにより被覆一体化して構成されている。
【００４０】
そして、カメラケーブル１２の先端部は、仕掛け３に取り付けられた水中カメラ４に接続され、一方、カメラケーブル１２の基端部は、船Ｓの上に配置されたコンピュータ１３に接続されている。
【００４１】
また、カメラケーブル１２には、前記道糸１を保持する保持手段１４が設けられている。この保持手段１４は、道糸１の中間部を被複する樹脂製の被覆チューブ２２をカメラケーブル１２の中間部（詳しくは、カメラケーブル１２の被覆チューブ１２ｂの中間部の外周面）に対して長手方向に沿わせた状態で、それらの外周面どうしを接合して構成されている。
【００４２】
なお、道糸１を被覆する被覆チューブ２２とカメラケーブル１２の被覆チューブ１２ｂとの接合領域は、引き裂き操作することにより短くすることもできる。
【００４３】
前記水中カメラ４は、図３、図４に示すように、テレビカメラ１５ａ（撮影部の一例）を前面部の中央部位に備える略円筒状のカメラ本体部１５と、このカメラ本体１５を釣り具Ｔに対して脱着操作自在に取り付ける取り付け部１６とから構成されている。
【００４４】
前記カメラ本体部１５の前面部には、テレビカメラ１５ａの撮影領域に対し、魚群を惹き寄せる魚集光を照射するＬＥＤライト１５ｂ（照射手段の一例）の多数個（本例では７個）が、テレビカメラ１５ａを中心として環状に配置されているとともに、カメラ本体１５の後面部には、前記カメラケーブル１２の先端部を接続する接続部１５ｃが設けられている。
【００４５】
前記取り付け部１６は、前記カメラ本体１５を軸芯Ｘ周り（本例では、水平軸芯周り）で回動自在に支持する略門の字状の支持部材１７と、この支持部材１７を軸芯Ｙ周り（本例では、鉛直軸芯周り）で回動自在に吊り下げ支持する状態で釣り具Ｔに取り付け可能な第１取り付け部材１８とから構成されている。
【００４６】
前記第１取り付け部材１８の上方部には、釣り具Ｔを挿通可能なリング状の挿通孔部１８Ａが形成されているとともに、第１取り付け部材１８の下方部には、前記支持部材１７の天井壁部１７Ａの中央部に貫通形成した挿通孔１７ａに対し挿通可能なボルト部１８Ｂが形成されている。
【００４７】
また、第１取り付け部材１８の上下中間部には、ボルト部１８Ｂに螺合する取り付けナット１９との間で支持部材１７の天井壁部１７Ａを挟持する鍔状の挟持片１８Ｃが形成されている。
【００４８】
つまり、支持部材１７の天井壁部１７Ａに形成した挿通孔１７ａに対し第１取り付け部材１８のボルト部１８Ｂを挿通させた状態で前記取り付けナット１９を締め付けることにより、支持部材１７と第１取り付け部材１８とが軸芯Ｙ周りで相対回動自在に連結されている。
【００４９】
さらに、前記支持部材１７の両側壁部１７Ｂの各々の下方部には、前記カメラ本体１５の両側面部の各々に形成したネジ孔１５ｄに螺合する取り付けボルト２０が挿通可能な挿通孔１７ｂが貫通形成されており、それら挿通孔１７ｂに対する挿通状態で取り付けボルト２０をカメラ本体１５のネジ孔１５ｄに対して螺入することにより、カメラ本体１５と支持部材１７とが軸芯Ｘ周りで相対回動自在に連結されている。
【００５０】
また、第１取り付け部材１８の上端部には、外部からの螺入脱操作により挿通孔部１８Ａを径方向に沿って進退移動する押圧ネジ１８ａに対するネジ孔１８ｂが貫通形成されている。
【００５１】
そして、第１取り付け部材１８の挿通孔部１８Ａに釣り用天秤６の天秤部６ｂを挿通した状態で押圧ネジ１８ａを螺入操作することにより、挿通孔部１８Ａの内面と押圧ネジ１８ａとの間で天秤部６ｂを挟持する状態で、第１取り付け部材１８と釣り具Ｔとが脱着自在に連結されている。
【００５２】
２１は、カメラ本体１５の後面部の中央部位に螺設された第２取り付け部材であり、この第２取り付け部材２１は、第１取り付け部材１８と同一の構成からなり、テレビカメラ１５ａの撮影領域を真下向きにする場合などに第１取り付け部材１８に代えて使用される。
【００５３】
図示しないが、前記カメラ本体部１５には、ＬＥＤライト１５ｂの電源となる電池が収納されている。
【００５４】
２３は、船Ｓの上に配置された魚群探知器用のテレビモニタであり、このテレビモニタ２３は、船Ｓの底に設置した魚群探知器の発射部（図示しない）から水中に向けて超音波パルスを発射することに対し、船Ｓの底に設置した魚群探知器の受信部（図示しない）により魚群等から受信した微弱なエコーを増幅してエコーグラムとして表示する。
【００５５】
なお、本実施形態において、前記水中カメラ４の取り付け部１６は、水中カメラ４を脱着自在に保持するカメラ保持手段、及び、水中カメラ４の撮影領域を変更する撮影領域変更手段に相当する。
【００５６】
次に、本発明の釣り具Ｔの使用方法（魚釣り方法）の一例について説明する。
まず、操船者（一般に、船頭と呼称される）が、魚群探知器用のテレビモニタ２３の表示画像より魚群の遊泳水深を読み取り、釣り人に指示する。
【００５７】
操船者からの指示を受けた釣り人は、仕掛け３に取り付けられた水中カメラ４の姿勢を初期姿勢として釣り用天秤６の天秤部６ｂに平行する姿勢（つまり、水平方向を撮影領域に含む状態）にして仕掛け３を水中に投入し、操船者から指示された水深を目安に仕掛け３を沈降させる。
【００５８】
釣り人は、仕掛け３が沈降する際の水中映像をコンピュータ１３のモニタ１３ａにより確認し、魚群が実際に遊泳する水深に仕掛け３（厳密には、釣針２）を配置する。
【００５９】
なお、実際の魚群が、想定していた魚種とは異なる場合には、仕掛け３、或いは、釣針２に取り付ける餌を実際の魚種用のものに変更する。
【００６０】
また、水流や潮流などによって釣針２が流されてしまう場合には、釣針２又はその近傍が撮影されるように水中カメラ４の撮影領域を変更する。
【００６１】
つまり、釣り人は、このような魚釣り方法を採用することで、釣針２が魚群の遊泳水深からずれていたり、実際の遊泳している魚種用とは異なる魚種用の餌を使用していたりするなどの不具合を確実に防止することができる。
【００６２】
〔その他の実施形態〕
（１）本発明は、前述の実施形態に示した釣り具に限らず、水中で生物を捕獲する捕獲部とその捕獲部を操作する操作部とが備えられている生物捕獲具であれば、例えば、銛、掬い網、仕掛け網など、種々の生物捕獲具に適用することができる。
【００６３】
（２）前述の実施形態では、水中カメラ４に、水中映像及び水中画像を撮影するテレビカメラが設けられている場合を例に示したが、水中映像と水中画像の一方だけを撮影するカメラが設けられていてもよい。
【００６４】
（３）前述の実施形態では、操作部又はその近傍において水中映像又は水中画像を表示するモニタとして、船Ｓの上に配置された携帯型のコンピュータ１３のモニタ１３ａを例に示したが、例えば、釣り具の場合では、竿やリールなどにモニタが設けられていたり、銛や掬い網の場合では、取手部分や水中眼鏡などにモニタが設けられていてもよい。
【００６５】
（４）前述の実施形態では、データ送信手段としてカメラケーブル１２を用いた有線方式のものを例に示したが、例えば、データ送信機とデータ受信機を用いた無線方式のものであってもよい。
【００６６】
（５）前述の実施形態では、保持手段１４により道糸１がカメラケーブル１２に保持されている場合を例に示したが、仕掛け３がカメラケーブル１２に保持されていてもよい。
【００６７】
（６）仕掛け３又は道糸１若しくはそれらの両方を保持する保持手段１４の具体的構成は、前述の実施形態で示した如き構成に限らず、種々の構成変更が可能である。
【００６８】
（７）前述の実施形態では、水中カメラ４が、仕掛け３における釣り用天秤６の天秤部６ｂに設けられている場合を例に示したが、例えば、釣り用天秤６の立ち上がり部６ａの下端部に錘８と併せて又は錘８に代えて設けられていたり、或いは、釣り用天秤６の立ち上がり部６ａやハリス７や道糸１に設けられていたりしてもよい。
【００６９】
（８）取り付け部１６の構成やその有無、或いは、カメラ本体部１５の構成など、水中カメラ４の具体的構成は、前述の実施形態で示した如き構成に限らず、種々の構成変更が可能である。
【００７０】
（９）前述の実施形態で示した水中カメラ４に、例えば、水中での姿勢を安定させる翼などの付加部材を設けてもよい。
【図面の簡単な説明】
【００７１】
【図１】本発明に係る生物捕獲具の構成図
【図２】図１のＡ−Ａ線断面図
【図３】本発明に係る水中カメラを示す分解斜視図
【図４】本発明に係る水中カメラを示す一部破断分解正面図
【符号の説明】
【００７２】
Ｔ          生物捕獲具（釣り具）
１          操作部（道糸）
２          釣針
３          捕獲部（仕掛け）
４          水中カメラ
５          表示手段
６          釣り用天秤
６ａ        天秤部
１２        データ送信手段（カメラケーブル）
１３ａ      モニタ
１４        保持手段
１５ａ      撮影部（テレビカメラ）
１５ｂ      照射手段（ＬＥＤライト）
１６        取り付け部（カメラ保持手段、撮影領域変更手段）
【図１】
2008212060.tif 000003
【図２】
2008212060.tif 000004
【図３】
2008212060.tif 000005
【図４】
2008212060.tif 000006